(57)【要約】【課題】ステアリングシャフトに作用する大きな曲げ荷重によって、トーションバーが曲げられることを防止するとともに、重量の増加や車室内の所要スペースの増大を抑制して、小型軽量化を可能にした電動式パワーステアリング装置を提供する。【解決手段】トルク伝達筒１２に大きな曲げ荷重が負荷されると、この曲げ荷重によって、トルク伝達筒１２が弾性変形する。トルク伝達筒１２の内周１２２と中空軸１１の外周１１２との間の隙間は、このトルク伝達筒１２の弾性変形量よりも大きく設定されている。従って、中空軸１１、トーションバー２４には曲げ荷重が作用せず、トーションバー２４の捩れが操舵トルクを正確に反映するため、出力軸２３に適切な操舵補助力を付与することが可能となる。【選択図】図１
2010036679.tif 000002
【特許請求の範囲】
【請求項１】
ギヤハウジング、
上記ギヤハウジングに回転可能に軸支され、車輪側に回転を伝達する出力軸、
上記出力軸にハンドル側の回転を伝達する中空軸、
上記中空軸に形成された軸方向貫通孔に内嵌し、軸方向の一端が中空軸のハンドル側の端部にピンで結合され、軸方向の他端が上記出力軸にトルク伝達可能に係合したトーションバー、
上記トーションバーに作用するトルクを検出するトルクセンサ、
上記トルクセンサの検出値に応じて所定の操舵補助力を出力する電動モータ、
上記電動モータによって回転駆動され、上記出力軸に連結されたウォームホイールと噛み合うウォーム、
上記中空軸に外嵌し、中空軸とトーションバーのピンによる結合部よりも車輪側で、中空軸にトルク伝達可能に係合する中空のトルク伝達筒、
上記トルク伝達筒の外周のハンドル側の端部に形成され、ハンドルの回転が伝達されるセレーション、
上記ギヤハウジングとトルク伝達筒との間に介挿され、トルク伝達筒と中空軸との係合部と、中空軸とトーションバーのピンによる結合部との間の軸方向位置で、トルク伝達筒を回転可能に軸支する軸受、
上記トルク伝達筒の内周と中空軸の外周との間に、上記軸受による軸支部よりもハンドル側の軸方向の全長にわたって形成された隙間を備えていること
を特徴とする電動式パワーステアリング装置。
【請求項２】
請求項１に記載された電動式パワーステアリング装置において、
上記軸受が上記トルク伝達筒の軸方向に隣接して少なくとも二個配置されていること
を特徴とする電動式パワーステアリング装置。
【請求項３】
請求項２に記載された電動式パワーステアリング装置において、
上記トルク伝達筒の内周と中空軸の外周との間の隙間は、トルク伝達筒に負荷される曲げ荷重によるトルク伝達筒の弾性変形量よりも大きく形成されていること
を特徴とする電動式パワーステアリング装置。
【請求項４】
請求項１に記載された電動式パワーステアリング装置において、
上記トルク伝達筒と中空軸との係合が圧入による係合であること
を特徴とする電動式パワーステアリング装置。
【請求項５】
請求項４に記載された電動式パワーステアリング装置において、
上記トルク伝達筒と中空軸との係合が、中空軸の外周に形成された雄セレーションに、中空軸の雄セレーションよりも硬度の低いトルク伝達筒の内径孔を塑性変形させながら圧入して係合させたものであること
を特徴とする電動式パワーステアリング装置。
【請求項６】
請求項４に記載された電動式パワーステアリング装置において、
上記トルク伝達筒と中空軸との係合が、トルク伝達筒に形成された雌セレーションに、トルク伝達筒の雌セレーションよりも硬度の低い中空軸の外周を塑性変形させながら圧入して係合させたものであること
を特徴とする電動式パワーステアリング装置。
【発明の詳細な説明】
【技術分野】
【０００１】
本発明は、電動モータを駆動して所要の操舵補助力をステアリングギヤに付与する電動式パワーステアリング装置に関する。
【背景技術】
【０００２】
電動式パワーステアリング装置は、電動モータを駆動して、ギヤハウジングに取り付けられたウォームに噛み合うウォームホイールを所要の操舵補助力で回転させ、ウォームホイールを有する出力軸を回転させて、ステアリングギヤに連結されたタイロッドを移動させて、車輪の向きを変更している。
【０００３】
このような電動式パワーステアリング装置は、特許文献１に示すように、入力軸と出力軸をトーションバーで連結し、操舵トルク伝達時の車輪側の抵抗によって、トーションバーに生じる捩れをトルクセンサで検出し、電動モータを駆動して、出力軸に所要の操舵補助力を付与している。
【０００４】
一般の４輪自動車では問題になることは少ないが、レーシングカーや多目的ビークルでは、ハンドルからステアリングシャフトに大きな曲げ荷重が作用し、その曲げ荷重によってトーションバーが曲げられる。その結果、トーションバーの捩れが操舵トルクを正確に反映しなくなるため、出力軸に適切な操舵補助力を付与することができなくなる。
【０００５】
特許文献１で、トーションバーが貫通する出力軸の軸方向の端部を、トーションバーの軸方向の端部よりも外側で軸受によって軸支すれば、大きな曲げ荷重がステアリングシャフトに作用しても、その曲げ荷重によって、出力軸やトーションバーが曲げられることは無い。しかし、出力軸の軸方向の端部に軸受を配置すると、ギヤハウジングが大きくなって、重量の増加や車室内の所要スペースが大きくなる不具合が生じる。
【０００６】
【特許文献１】特開２００７−２７６７４３号公報
【発明の開示】
【発明が解決しようとする課題】
【０００７】
本発明は、ステアリングシャフトに作用する大きな曲げ荷重によって、トーションバーに曲げモーメントが作用することを防止するとともに、重量の増加や車室内の所要スペースの増大を抑制して、小型軽量化を可能にした電動式パワーステアリング装置を提供することを課題とする。
【課題を解決するための手段】
【０００８】
上記課題は以下の手段によって解決される。すなわち、第１番目の発明は、ギヤハウジング、上記ギヤハウジングに回転可能に軸支され、車輪側に回転を伝達する出力軸、上記出力軸にハンドル側の回転を伝達する中空軸、上記中空軸に形成された軸方向貫通孔に内嵌し、軸方向の一端が中空軸のハンドル側の端部にピンで結合され、軸方向の他端が上記出力軸にトルク伝達可能に係合したトーションバー、上記トーションバーに作用するトルクを検出するトルクセンサ、上記トルクセンサの検出値に応じて所定の操舵補助力を出力する電動モータ、上記電動モータによって回転駆動され、上記出力軸に連結されたウォームホイールと噛み合うウォーム、上記中空軸に外嵌し、中空軸とトーションバーのピンによる結合部よりも車輪側で、中空軸にトルク伝達可能に係合する中空のトルク伝達筒、上記トルク伝達筒の外周のハンドル側の端部に形成され、ハンドルの回転が伝達されるセレーション、上記ギヤハウジングとトルク伝達筒との間に介挿され、トルク伝達筒と中空軸との係合部と、中空軸とトーションバーのピンによる結合部との間の軸方向位置で、トルク伝達筒を回転可能に軸支する軸受、上記トルク伝達筒の内周と中空軸の外周との間に、上記軸受による軸支部よりもハンドル側の軸方向の全長にわたって形成された隙間を備えていることを特徴とする電動式パワーステアリング装置である。
【０００９】
第２番目の発明は、第１番目の発明の電動式パワーステアリング装置において、上記軸受が上記トルク伝達筒の軸方向に隣接して少なくとも二個配置されていることを特徴とする電動式パワーステアリング装置である。
【００１０】
第３番目の発明は、第２番目の発明の電動式パワーステアリング装置において、上記トルク伝達筒の内周と中空軸の外周との間の隙間は、トルク伝達筒に負荷される曲げ荷重によるトルク伝達筒の弾性変形量よりも大きく形成されていることを特徴とする電動式パワーステアリング装置である。
【００１１】
第４番目の発明は、第１番目の発明の電動式パワーステアリング装置において、上記トルク伝達筒と中空軸との係合が圧入による係合であることを特徴とする電動式パワーステアリング装置である。
【００１２】
第５番目の発明は、第４番目の発明の電動式パワーステアリング装置において、上記トルク伝達筒と中空軸との係合が、中空軸の外周に形成された雄セレーションに、中空軸の雄セレーションよりも硬度の低いトルク伝達筒の内径孔を塑性変形させながら圧入して係合させたものであることを特徴とする電動式パワーステアリング装置である。
【００１３】
第６番目の発明は、第４番目の発明の電動式パワーステアリング装置において、上記トルク伝達筒と中空軸との係合が、トルク伝達筒に形成された雌セレーションに、トルク伝達筒の雌セレーションよりも硬度の低い中空軸の外周を塑性変形させながら圧入して係合させたものであることを特徴とする電動式パワーステアリング装置である。
【発明の効果】
【００１４】
本発明の請求項１の電動式パワーステアリング装置では、中空軸に外嵌し、中空軸とトーションバーのピンによる結合部よりも車輪側で、中空軸にトルク伝達可能に係合する中空のトルク伝達筒と、トルク伝達筒の外周のハンドル側の端部に形成され、ハンドルの回転が伝達されるセレーションと、ギヤハウジングとトルク伝達筒との間に介挿され、トルク伝達筒と中空軸との係合部と、中空軸とトーションバーのピンによる結合部との間の軸方向位置で、トルク伝達筒を回転可能に軸支する軸受と、トルク伝達筒の内周と中空軸の外周との間に、軸受による軸支部よりもハンドル側の軸方向の全長にわたって形成された隙間を備えている。
【００１５】
従って、トルク伝達筒に大きな曲げ荷重が負荷されて、トルク伝達筒が弾性変形しても、トルク伝達筒の内周と中空軸との間には隙間が形成されている。そのため、トーションバーには曲げ荷重が作用せず、トーションバーの捩れが操舵トルクを正確に反映するため、車輪側に適切な操舵補助力を付与することが可能となる。
【００１６】
また、トルク伝達筒を回転可能に軸支する軸受が、トルク伝達筒と中空軸との係合部と、中空軸とトーションバーのピンによる結合部との間の軸方向位置に配置されている。従って、電動式パワーステアリング装置が大きくならず、重量の増加や車室内の所要スペースの増大が抑制されて、電動式パワーステアリング装置の小型軽量化が可能となる。
【００１７】
本発明の請求項２の電動式パワーステアリング装置では、トルク伝達筒を回転可能に軸支する軸受がトルク伝達筒の軸方向に隣接して少なくとも二個配置されているため、トルク伝達筒の曲げ剛性が向上し、好ましい。
【００１８】
本発明の請求項３の電動式パワーステアリング装置では、トルク伝達筒の内周と中空軸の外周との間の隙間が、トルク伝達筒に負荷される曲げ荷重によるトルク伝達筒の弾性変形量よりも大きく形成されているため、トーションバーに曲げ荷重が作用するのを確実に防止できる。
【００１９】
本発明の請求項４の電動式パワーステアリング装置では、トルク伝達筒と中空軸との係合が圧入による係合であるため、回転方向のガタ感が減少する。
【００２０】
本発明の請求項５及び請求項６の電動式パワーステアリング装置では、トルク伝達筒の内周と中空軸の外周をセレーション圧入しているため、捩りに対する強度、耐久性が向上し、大トルクが負荷される電動式パワーステアリング装置に適している。
【発明を実施するための最良の形態】
【００２１】
以下、図面に基づいて本発明の実施例を説明する。図１は本発明の実施例の電動式パワーステアリング装置２０のギヤハウジング部分の縦断面図である。図１に示すように、電動式パワーステアリング装置２０のギヤハウジング２１には、中空軸１１と出力軸２３が同一中心軸線上に配置されている。
【００２２】
出力軸２３は軸受（深みぞ形ラジアル玉軸受）４１によって、カバー２２に回転可能に軸支されている。カバー２２は、ギヤハウジング２１の左側開放端を覆っている。中空軸１１と出力軸２３は、トーションバー２４によって連結されている。
【００２３】
出力軸２３の右端寄りには円盤状の芯金５２が圧入され、芯金５２の外周には、ウォーム５３と噛み合うウォームホイール５１が圧入されている。出力軸２３に対する芯金５２の圧入は、セレーション圧入（出力軸２３の右端外周の雄セレーションを焼き入れして硬度を高くし、芯金５２の生材の内径孔に雄セレーションを圧入し、内径孔を塑性変形させる）である。ウォーム５３は、図示しない電動モータによって回転駆動される。出力軸２３の左端（車体前方側端部の車輪側）には、雄セレーション２３１が形成され、この雄セレーション２３１が、図示しない自在継手、中間シャフト、ステアリングギヤ等を介してタイロッドに連結され、図示しない車輪を操舵する。
【００２４】
トーションバー２４は、中空軸１１に形成された軸方向貫通孔１１４に内嵌している。トーションバー２４は、出力軸２３にその左端（車体前方側端部の車輪側）が圧入され、その右端（車体後方側端部のハンドル側）がピン２５によって、中空軸１１の右端に連結されている。
【００２５】
出力軸２３とトーションバー２４の圧入は、セレーション圧入（トーションバー２４外周の雄セレーションを焼き入れして硬度を高くし、出力軸２３の生材の内径孔にトーションバー２４の雄セレーションを圧入し、内径孔を塑性変形させる）である。また、トーションバー２４は、中空軸１１の軸方向貫通孔１１４の左端に、ブッシュ２６によって外周を軸支されている。
【００２６】
トーションバー２４に作用するトルクを検出するトルクセンサ６１は、センサーシャフト部６２、検出コイル６３、円筒部材６４から構成されている。センサーシャフト部６２は、中空軸１１の左端（車体前方側端部の車輪側）に一体的に形成され、検出コイル６３は、ギヤハウジング２１との間に隙間を有し、ギヤハウジング２１の内側に圧入した板バネでギヤハウジング２１に固定されている。円筒部材６４は、センサーシャフト部６２の外周と、検出コイル６３の内周との間の隙間に配置されている。
【００２７】
円筒部材６４は出力軸２３の右端（車体後方側端部）にかしめによって固定され、センサーシャフト部６２には、軸方向に延びた複数の凸条が円周方向に等間隔に形成されている。円筒部材６４には、検出コイル６３に対向する位置に、円周方向に等間隔に複数の長方形の窓が形成されている。
【００２８】
中空軸１１には、中空のトルク伝達筒１２が外嵌している。トルク伝達筒１２は、中空軸１１の右端（トーションバー２４と中空軸１１のピン２５による結合部）よりも車体前方側（車輪側）で、中空軸１１にトルク伝達可能に係合している。トルク伝達筒１２と中空軸１１の係合は、トルク伝達筒１２の内径孔１２１と中空軸１１の雄セレーション１１１のセレーション圧入（中空軸１１の雄セレーション１１１を焼き入れして硬度を高くし、トルク伝達筒１２の生材の内径孔１２１に雄セレーション１１１を圧入し、内径孔１２１を塑性変形させる）による係合である。
【００２９】
ギヤハウジング２１とトルク伝達筒１２との間には、トルク伝達筒１２を回転可能に軸支する二個の軸受（深みぞ形ラジアル玉軸受）４２、４３が、トルク伝達筒１２の軸方向に隣接して介挿されている。軸受４２、４３は、トルク伝達筒１２と中空軸１１のセレーション係合部と中空軸１１の右端との間の軸方向位置に配置されている。トルク伝達筒１２を中空軸１１に圧入すると、圧入部のトルク伝達筒１２の外径寸法が膨張するため、圧入部から軸方向にずらした位置に軸受４２、４３を配置するのが好ましい。
【００３０】
トルク伝達筒１２の内周１２２と中空軸１１の外周１１２との間には、隙間が形成されている。この隙間は、トルク伝達筒１２と中空軸１１とのセレーション係合部から中空軸１１の右端までの軸方向の全長にわたって形成されている。このトルク伝達筒１２の内周１２２と中空軸１１の外周１１２との間の隙間は、トルク伝達筒１２と中空軸１１とのセレーション係合部から形成する必要はなく、軸受４２、４３によるトルク伝達筒１２の軸支部から、中空軸１１の右端までの軸方向の全長にわたって形成してもよい。
【００３１】
また、トルク伝達筒１２の右端（車体後方側端部のハンドル側）には、雄セレーション１２３が形成され、この雄セレーション１２３が、図示しないステアリングシャフトを介してハンドル（丸ハンドルでもバーハンドルでもよい）に連結され、ハンドルの回転がトルク伝達筒１２に伝達される。
【００３２】
トルク伝達筒１２に大きな曲げ荷重が負荷されると、この曲げ荷重によって、トルク伝達筒１２が弾性変形する。トルク伝達筒１２の内周１２２と中空軸１１の外周１１２との間の隙間は、このトルク伝達筒１２の弾性変形量よりも大きく設定されている。従って、中空軸１１、トーションバー２４には曲げ荷重が作用せず、トーションバー２４の捩れが操舵トルクを正確に反映するため、出力軸２３に適切な操舵補助力を付与することが可能となる。
【００３３】
トルク伝達筒１２に大きな曲げ荷重が負荷されると、この曲げ荷重によって、トルク伝達筒１２が弾性変形するとともに、軸受４２、４３の内輪と外輪との間に傾きが生じる。しかし、本発明の実施例に示すように、トルク伝達筒１２を少なくとも二個の軸受４２、４３でギヤハウジング２１に軸支すれば、曲げ荷重による軸受４２、４３の内輪と外輪との間の傾きが小さくなるため、トルク伝達筒１２の変形が小さくなり、好ましい。
【００３４】
また、トルク伝達筒１２を回転可能に軸支する軸受４２、４３が、トルク伝達筒１２と中空軸１１とのセレーション係合部と中空軸１１の右端（トーションバー２４と中空軸１１のピン２５による結合部）との間の軸方向位置に配置されている。従って、ギヤハウジング２１が大きくならず、重量の増加や車室内の所要スペースの増大が抑制されて、電動式パワーステアリング装置の小型軽量化が可能となる。
【００３５】
本発明の電動式パワーステアリング装置２０の組立手順は下記の通りである。すなわち、まず、出力軸２３に、ウォームホイール５１が圧入された芯金５２、トーションバー２４、円筒部材６４を圧入する。
【００３６】
次ぎに、中空軸１１をトーションバー２４に外嵌し、中空軸１１を出力軸２３に対して相対回転させて、図示しないマスター検出コイルで、センサーシャフト部６２の表面の凸条と円筒部材６５の窓との間の位相を、磁気的中立状態にする。この磁気的中立状態で、中空軸１１とトーションバー２４にピン孔２５１を加工し、このピン孔２５１にピン２５を打ち込んで、中空軸１１とトーションバー２４を連結する。
【００３７】
トルク伝達筒１２を中空軸１１に外嵌し、トルク伝達筒１２の内径孔１２１を中空軸１１の雄セレーション１１１に圧入し、内径孔１２１を塑性変形させて雄セレーション１１１に係合させる。センサーシャフト部６２の左端は出力軸２３の右端面に当接している。従って、トルク伝達筒１２を中空軸１１に圧入しても、中空軸１１は左方には動かされず、トーションバー２４には圧入時の荷重が加わらず、トーションバー２４が曲がることはない。
【００３８】
トルク伝達筒１２を中空軸１１に圧入する際に、トルク伝達筒１２の雄セレーション１２３と出力軸２３の雄セレーション２３１の位相を合わせれば、ハンドルと車輪の中立位置を、高精度に一致させることが可能となる。
【００３９】
この、出力軸２３、ウォームホイール５１、トーションバー２４、中空軸１１、トルク伝達筒１２が組み付けられた軸組み付け品を、検出コイル６３、軸受４２、４３が組み付けられたギヤハウジング２１に組み付ける。軸組み付け品の組み付けは、ギヤハウジング２１に、図１の左側（車体前方側）から挿入する。次ぎに、軸受４１が組み付けられたカバー２２を、ギヤハウジング２１に図１の左側（車体前方側）から組み付ければ、電動式パワーステアリング装置２０の組立が完了する。
【００４０】
この電動式パワーステアリング装置２０を車体に組み付け、図示しないハンドルを操作すると、ハンドルの回転がトルク伝達筒１２に伝達される。トルク伝達筒１２の回転力が、トルク伝達筒１２の内径孔１２１と中空軸１１の雄セレーション１１１、中空軸１１、ピン２５、トーションバー２４を介して出力軸２３に伝達される。
【００４１】
この時、車輪側の抵抗によって、中空軸１１と出力軸２３を連結するトーションバー２４に捩れが生じ、センサーシャフト部６２の表面の凸条と円筒部材６４の窓との間に相対回転が生じる。
【００４２】
この相対回転で、センサーシャフト部６２に発生する磁束が増減し、この磁束の増減を検出コイル６３がインダクタンスの変化として検出する。この検出結果から、トーションバー２４に作用するトルクを検出し、図示しない電動モータを駆動してウォーム５３を所要の操舵補助力で回転させる。ウォーム５３の回転は、ウォームホイール５１、芯金５２、出力軸２３を介して車輪に伝達され、運転者の操舵トルクを軽減する。
【００４３】
上記実施例では、中空軸１１の雄セレーション１１１を焼き入れして硬度を高くし、トルク伝達筒１２の生材の内径孔１２１に雄セレーション１１１を圧入し、内径孔１２１を塑性変形させている。他の例として、トルク伝達筒１２に形成した雌セレーションを焼き入れして硬度を高くし、中空軸１１の生材の外周にトルク伝達筒１２の雌セレーションを圧入し、中空軸１１の生材の外周を塑性変形させてもよい。
【００４４】
図２（１）は、本発明の実施例の電動式パワーステアリング装置２０で、大トルクが負荷された時のトルク伝達経路を示す要部の縦断面図、図２（２）は図２（１）のＡ−Ａ断面図である。
【００４５】
図２（１）、（２）に示すように、大トルクが中空軸１１に負荷された時に、トーションバー２４に過大な捩れ応力が作用するのを防止するために、中空軸１１と出力軸２３との間には、ストッパが形成されている。
【００４６】
すなわち、図２（２）に拡大して示すように、中空軸１１の左端外周と出力軸２３の右端内周の嵌合部には、ストッパ１１３、２３２が形成されている。ストッパ１１３、２３２は、等角度間隔に各８個形成され、トルクが中空軸１１に負荷されない時には、回転方向の隙間βを有している。大トルクが中空軸１１に負荷されると、ストッパ１１３、２３２が当接し、トーションバー２４に過大な捩れ応力が作用するのを防止している。
【００４７】
しかし、ストッパ１１３、２３２が当接してからも、トルク伝達筒１２、中空軸１１は、図２（１）に実線で示すトルク伝達経路Ｔ１に沿ったトルクの伝達によって、トルク伝達筒１２、中空軸１１が若干捩れる。トルク伝達経路Ｔ１は、トルク伝達筒１２、トルク伝達筒１２の内径孔１２１と中空軸１１の雄セレーション１１１、中空軸１１、
ストッパ１１３、２３２、出力軸２３を通る経路である。
【００４８】
このトルク伝達筒１２、中空軸１１の若干の捩れによって、トーションバー２４も、図２（１）に破線で示すトルク伝達経路Ｔ２に沿ったトルクの伝達によって、若干捩れる。
トルク伝達経路Ｔ２は、トルク伝達筒１２、トルク伝達筒１２の内径孔１２１と中空軸１１の雄セレーション１１１、中空軸１１、ピン２５、トーションバー２４、出力軸２３を通る経路である。
【００４９】
ストッパ１１３、２３２が当接してからのトーションバー２４の捩れは、トーションバー２４の耐久性に影響するため、できる限り小さいことが望ましい。本発明の実施例では、トルク伝達経路Ｔ１のうち、トルク伝達筒１２は直径が大きく形成されているため、ほとんど捩れない。
【００５０】
従って、トルク伝達経路Ｔ１のうち、トルク伝達筒１２の内径孔１２１と中空軸１１の雄セレーション１１１との係合部とストッパ１１３、２３２との間（図２（１）の長さＬ１の範囲）の中空軸１１だけが捩れることになる。
【００５１】
図３は、中空軸（入力軸）１１の軸方向の端部を、トーションバー２４の軸方向の端部よりも外側で、軸受４２、４３によって軸支した場合に、大トルクが負荷された時のトルク伝達経路を示す要部の縦断面図である。
【００５２】
図３の構造では、ストッパ１１３、２３２（図２（２）参照）が当接してからのトルクトルク伝達経路Ｔ１は（図３に実線で示す）、中空軸１１、ストッパ１１３、２３２、出力軸２３を通る経路である。従って、中空軸１１のほぼ軸方向の全長に相当する長さＬ２にわたって、中空軸１１が捩れることになる。中空軸１１は直径が小さく、捩れる長さＬ２も長いため、中空軸１１が大きく捩れ、トーションバー２４の捩れも大きくなって、トーションバー２４の耐久性が低下する。
【００５３】
これに対して、図２に示す本発明の実施例では、トルク伝達経路Ｔ１のうち、トルク伝達筒１２は直径が大きく形成されているため、ほとんど捩れず、長さＬ１の範囲の中空軸１１だけが捩れることになる。そのため、トーションバー２４の捩れも小さく、トーションバー２４の耐久性に及ぼす悪影響を軽減することが可能となる。
【００５４】
また、ストッパ１１３、２３２が当接してからのトーションバー２４の捩れが小さいため、中空軸１１の剛性（トルク伝達筒１２の内径孔１２１と中空軸１１の雄セレーション１１１との係合部よりもピン２５側）は、トーションバー２４の小さな捩れに耐えられる程度の剛性で済む。
【００５５】
本発明の実施例では、入力側の中空軸１１に形成された軸方向貫通孔１１４にトーションバー２４が内嵌し、中空軸１１のハンドル側の端部に、ピン２５でトーションバー２４が結合された形式の電動式パワーステアリング装置２０に適用した例を示した。
【００５６】
変形例として、出力側の中空軸１１に形成された軸方向貫通孔にトーションバー２４が内嵌し、中空軸１１の車輪側の端部に、ピン２５でトーションバー２４が結合された形式の電動式パワーステアリング装置２０に適用してもよい。
【００５７】
具体的には、出力側の中空軸１１に中空のトルク伝達筒を外嵌し、ピン２５と中空軸１１との結合部よりもハンドル側で、中空軸１１にトルク伝達筒をトルク伝達可能に係合させる。
【００５８】
このトルク伝達筒の外周の車輪側の端部には、トルク伝達筒の回転を車輪側に伝達する雄セレーションを形成する。また、ギヤハウジング２１とトルク伝達筒との間に、トルク伝達筒と中空軸１１との係合部と、中空軸１１とトーションバー２４とのピン２５による結合部との間の軸方向位置に、トルク伝達筒を回転可能に軸支する軸受を配置すればよい。また、トルク伝達筒の内周と中空軸１１の外周との間には、軸受による軸支部よりもピンとの結合部側の軸方向の全長にわたって、隙間を形成すればよい。
【図面の簡単な説明】
【００５９】
【図１】本発明の実施例の電動式パワーステアリング装置のギヤハウジング部分の縦断面図である。
【図２】（１）は、本発明の実施例の電動式パワーステアリング装置で、大トルクが負荷された時のトルク伝達経路を示す要部の縦断面図、（２）は（１）のＡ−Ａ断面図である。
【図３】中空軸の軸方向の端部を、トーションバーの軸方向の端部よりも外側で軸受によって軸支した場合に、大トルクが負荷された時のトルク伝達経路を示す要部の縦断面図である。
【符号の説明】
【００６０】
１１  中空軸
１１１  雄セレーション
１１２  外周
１１３  ストッパ
１１４  軸方向貫通孔
１２  トルク伝達筒
１２１  内径孔
１２２  内周
１２３  雄セレーション
２０  電動式パワーステアリング装置
２１  ギヤハウジング
２２  カバー
２３  出力軸
２３１  雄セレーション
２３２  ストッパ
２４  トーションバー
２５  ピン
２５１  ピン孔
２６  ブッシュ
４１  軸受（深みぞ形ラジアル玉軸受）
４２、４３  軸受（深みぞ形ラジアル玉軸受）
５１  ウォームホイール
５２  芯金
５３  ウォーム
６１  トルクセンサ
６２  センサーシャフト部
６３  検出コイル
６４  円筒部材
Ｔ１、Ｔ２  トルク伝達経路
【図１】
2010036679.tif 000003
【図２】
2010036679.tif 000004
【図３】
2010036679.tif 000005